(57)【要約】      （修正有）【課題】フラップのセグメント化の制限による翼のキャンバー全体の変動制限が緩和される可変キャンバーの後縁チップの構造設計を提供する。【解決手段】柔軟性上部外板１４は、前方境界においてスパー４０に取り付けられており、剛性下部外板１８は剛性尾部４２において柔軟性上部外板に相互接続されている。少なくとも一つの作動リンク４６は剛性尾部に取り付けられており、剛性下部外板の前縁にヒンジ２０を有する。少なくとも一つの位置決めスライダー５２はヒンジに取り付けられており、このヒンジが中立位置から第１延長位置まで移動することができ、これによりヒンジが機尾へ押しやられ、剛性下部外板が上方へ回転し、柔軟性上部外板が上方キャンバーにおいて屈曲し、ヒンジが第２引込位置へ移動することができ、これによりヒンジが前方へ押しやられて剛性下部外板が下方へ回転し、柔軟性上部外板が下方キャンバーにおいて屈曲する。【選択図】図２Ａ
2013121835.tif 000002
【特許請求の範囲】
【請求項１】
航空機の翼のキャンバーを変化させる装置であって、
航空機の翼と、
前記翼の機尾端に接続された柔軟性後縁であって、
柔軟性上面と、
剛性下面
を含む前記柔軟性後縁と、
前端と機尾端を有する少なくとも一つのスライダーリンクであって、前記スライダーリンクの機尾端は前記柔軟性後縁の剛性下面に固定されている前記少なくとも一つのスライダーリンクと、
前記後縁の剛性下面の前方において前記翼の内部に配置されたベルクランク作動機構であって、
前記スライダーリンクの前端に回転可能に接続された前記ベルクランク作動機構と
を含み、
前記ベルクランク機構が作動した時に、前記スライダーリンクが前方及び機尾方向に動くことによって前記柔軟性上面が屈曲し、前記翼のキャンバーを選択的に変化させる装置。
【請求項２】
前記ベルクランク機構は複数のスライダーリンクに回転可能に接続されており、前記複数のスライダーリンクはそれぞれ前記後縁の選択位置において、前記後縁の剛性下面の前端に接続されている、請求項１に記載の装置。
【請求項３】
前記ベルクランク機構がコネクタバーと、前記スライダーリンクを選択的に前方及び機尾方向に動かすように構成された複数の作動ベルクランクを含む、請求項１又は２に記載の装置。
【請求項４】
選択的に変化させた前記柔軟性後縁の翼のキャンバーの偏向は、翼の上方翼弦全体の０〜１％超であり、翼の下方翼弦全体の０〜２．５％超である、請求項１乃至３のいずれか１項に記載の装置。
【請求項５】
前記柔軟性後縁は、翼の後縁のフラップに接続されており、前記柔軟性後縁の選択的に変化した翼のキャンバーの偏向は、フラップの上方翼弦の０〜６％超であり、フラップの下方翼弦の０〜１４％超である、請求項１乃至４のいずれか１項に記載の方法。
【請求項６】
前記フラップの翼弦が、翼の翼弦全体の１０〜２０％であり、柔軟性後縁の翼弦が、フラップの翼弦の１７〜３３％である、請求項５に記載の装置。
【請求項７】
前記柔軟性後縁の選択的に変化した翼キャンバーの偏向は、＋１０°〜−５５°である、請求項１乃至６のいずれか１項に記載の装置。
【請求項８】
翼構造の統合された柔軟性チップを屈曲させる方法であって、
剛性下部外板のヒンジで連結された前端を動かし、
柔軟性上部外板で反力を印加し、
前記ヒンジ周囲で前記剛性下部外板の上方の回転を起こして、前記ヒンジで連結された前端が機尾へ動く時に上方キャンバーの上部外板を屈曲させて、
前記ヒンジ周囲で前記剛性下部外板の下方の回転を起こして、前記ヒンジで連結された前端が前方に動く時に下方キャンバーの上部外板を屈曲させる
ことを含む方法。 
【請求項９】
前記ヒンジで連結された前端の機尾への動きは、前記ヒンジの機尾に接続されたスライダーを動かすことを含み、前記ヒンジで連結された前端の前方への動きは、前記スライダーを前方に動かすことを含む、請求項８に記載の方法。
【請求項１０】
コネクタバーによる回転のために、前記スライダーに取り付けられた作動ベルクランクを使用し、
前記スライダーを機尾へ動かすために、延長ベルクランクによって前記コネクタバーを変位させ、
前記スライダーを前方へ動かすために、引込ベルクランクによって前記コネクタバーを変位させる
ことをさらに含む、請求項９に記載の方法。
【請求項１１】
上方への回転を起こすステップは、翼の上方翼弦全体の０〜１．０％超の偏向を含み、下方への回転を起こすステップは、翼の下方翼弦全体の０〜２．５％超の偏向を含む、請求項８乃至１０のいずれか１項に記載の方法。
【請求項１２】
翼構造は翼のフラップであり、上方への回転を起こすステップは、フラップの上方翼弦の０〜６．０％超の偏向を含み、下方への回転を起こすステップは、フラップの下方翼弦全体の０〜１４％超の偏向を含む、請求項８乃至１１のいずれか１項に記載の方法。
【発明の詳細な説明】
【技術分野】
【０００１】
本発明の実施形態は概して、航空機の翼の設計の分野に関し、さらに具体的には、翼又はフラップ後縁の可変のキャンバーチップと作動機構に関するものである。
【背景技術】
【０００２】
現代の航空機は、幅広い速さ及び高度で飛行し、これには航空機の揚力面の空力的な改良及び制御が必要となる。離陸及び着陸時の揚力要件の大きな変化は、他の解決策の中でも従来の後縁フラップを使用して得られる。しかしながら、巡航空力を最適化する、又は他の飛行形態の空力を最適化するのを助けるためのさらに細かな調節は十分なされていない。現在の解決法は、後縁フラップを少しだけ広げて又は引き込んで、飛行の巡航部分の抵抗を下げることによって、翼のキャンバーを変更することである。 
【０００３】
フラップには、離陸及び着陸の際に必要な大きな揚力の変化を達成することが要求されるため、フラップの翼弦は、翼の翼弦全体のうちで重要な部分である。フラップの動きは、機械駆動システムによって制御されており、翼の翼弦全体に対してフラップの翼弦が比較的長いため、巡航状態での展開能力は限られている。さらに、比較的長いフラップの翼弦の角変位によるキャンバーの変化に基づくこの小規模の展開は、限られた巡航状態においてのみ効果がある。幅方向の空力効果の調整もまた、各フラップの幅によって限定される、つまりフラップの幅全体が上に動く、又は下に動く。フラップの翼弦に関しては、離陸及び着陸に必要である大きな揚力変化を得るためのフラップの幅が大きく、制御作動要件によるフラップのセグメント化の実施上の制限により、翼のキャンバー全体の変化に対する幅方向の変動が制限される。
【発明の概要】
【発明が解決しようとする課題】
【０００４】
したがって、可変のキャンバーの後縁チップの構造設計を提供することが望ましい。
【課題を解決するための手段】
【０００５】
本明細書に開示した実施形態は、柔軟性上面と剛性下面を組み込んだ翼の機尾端に接続された後縁を有する航空機の翼のキャンバーを変化させる装置を提供する。機尾端において、少なくとも一つのスライダーリンクが後縁の剛性下面に固定されている。翼の内部の前記後縁の前方に配置されたベルクランク作動機構は、スライダーリンクの前端に回転可能に接続されている。ベルクランク機構が作動した時、スライダーリンクが前方及び機尾方向に移動して、柔軟性上面が曲がり、翼のキャンバーが選択的に変動する。
【０００６】
ある例示の実施形態では、翼の後縁に統合される柔軟性チップは、翼構造の後方のスパーを使用する。   柔軟性上部外板は、前方境界においてスパーに取り付けられ、剛性下部外板は剛性尾部において柔軟性上部外板に相互接続されている。少なくとも一つの作動リンクは剛性尾部に取り付けられており、剛性下部外板の前縁にヒンジを有する。少なくとも一つの位置決めスライダーはヒンジに取り付けられており、このヒンジは中立位置から第１延長位置まで移動可能であり、これによりヒンジが機尾端に押しやられて剛性下部外板が上方向に回転し、柔軟性上部外板が上方のキャンバーにおいて屈曲し、ヒンジの第２引込位置への移動によって、ヒンジが前方に押しやられて剛性下部外板が下方向に回転し、柔軟性上部外板が下方のキャンバーにおいて屈曲する。
【０００７】
この実施形態は、翼構造の統合された柔軟性チップを屈曲させる方法を提供し、この方法において、剛性下部外板のヒンジで連結された前端は機尾又は前方に移動する。柔軟性上部外板によって反力がかかると、ヒンジ周囲で剛性下部外板の上方向の回転が起き、ヒンジで連結された前端が機尾へ動く際に上方向のキャンバーに対して上部外板が屈曲し、ヒンジ周囲で剛性下部外板の下方向の回転が起きて、ヒンジで連結された前端が前方へ動く際に下方向のキャンバーに対して上部外板が屈曲する。
【０００８】
本発明の一態様によれば、航空機の翼のキャンバーを変化させる装置が提供されており、この装置は、航空機の翼、翼の機尾端に接続された柔軟性後縁を備えており、この柔軟性後縁は、柔軟性上面、及び、剛性下面、前端及び機尾端を有する少なくとも一つのスライダーリンクを含み、スライダーリンクの機尾端は柔軟性後縁の剛性下面に固定されており、ベルクランク作動機構は翼の内側の後縁の剛性下面の前方に配置されており、ベルクランク作動機構は、スライダーリンクの前端に回転可能に接続されて、ベルクランク機構が作動した時に、スライダーリンクが前方向及び機尾方向に動いて柔軟性上面が屈曲し、翼のキャンバーが選択的に変化する。
【０００９】
ベルクランク機構は、複数のスライダーリンクに回転可能に接続されており、各スライダーリンクは、後縁の選択位置において、後縁の剛性下面の前端に接続されているため、有利である。さらに、ベルクランク機構は、スライダーリンクを選択的に前方及び機尾方向へ動かすように構成されたコネクタバーと、複数の作動ベルクランクを含み、柔軟性後縁の選択的に変化した翼のキャンバーの偏位は上方の翼の翼弦全体の０〜１％超であり、下方の翼の翼弦全体の０〜２．５％超であり、柔軟性後縁は翼の後縁のフラップに接続されており、柔軟性後縁の選択的に変化した翼のキャンバーの偏位は、上方のフラップの翼弦の０〜６％超であり、下方のフラップの翼弦の０〜１４％超であり、フラップの翼弦は、翼の翼弦全体の１０〜２０％であり、柔軟性後縁の翼弦はフラップの翼弦の１７〜３３％であり、柔軟性後縁の選択的に変化した翼のキャンバーの偏位は＋１０°〜−５５°である。
【００１０】
さらに別の有利な実施形態によれば、翼の後縁に統合される柔軟性チップが提供されており、この柔軟性チップは、翼構造の後部スパー、スパーの前方境界において取り付けられた柔軟性上部外板、剛性尾部において柔軟性上部外板に相互接続された剛性下部外板、剛性尾部に取り付けられ、且つ剛性下部外板の前縁にヒンジを有する少なくとも1つの作動リンク、ヒンジに取り付けられた少なくとも1つの位置決めスライダーを含み、スライダーは、中立位置から第１延長位置まで移動することができ、これによりヒンジが機尾に押しやられて剛性下部外板が上方向に回転し、柔軟性上部外板の上方キャンバーにおける第２引込位置への屈曲により、ヒンジが前方に押しやられて、剛性下部外板が下方向に回転し、柔軟性上部外板が下方キャンバーにおいて屈曲する。
【００１１】
剛性尾部での剛性下部外板の相互接続はヒンジによる連結であり、剛性尾部における少なくとも1つの作動リンクの相互接続はヒンジによる連結であるため、有利である。
【００１２】
柔軟性チップはさらに、少なくとも1つの位置決めスライダーに接続された作動ベルクランクであって、回転することにより少なくとも1つの位置決めスライダーを第１延長位置と第２引込位置の間で位置決めする作動ベルクランクと、作動ベルクランクに回転可能に取り付けられたコネクタロッドと、コネクタロッドに回転可能に取り付けられた延長ベルクランクと、コネクタロッドに回転可能に取り付けられた引込ベルクランクとを含み、上方キャンバーの偏位は、翼の上方翼弦全体の０〜１％超、及び翼の下方翼弦全体の０〜２．５％超であり、翼構造の後部スパーは翼の後縁のフラップに接続されており、上方キャンバーの偏位は、上方フラップの翼弦の０〜６％超、及び下方フラップの翼弦の０〜１４％超であり、上方及び下方キャンバーの偏位は+１０°〜−５５°である。
【００１３】
さらに別の有利な実施形態によれば、翼構造の統合された柔軟性チップを屈曲させる方法が提供されており、剛性下部外板のヒンジで連結された前端を動かし、柔軟性上部外板によって反力をかけて、ヒンジ周囲で剛性下部外板の上方向への回転を起こして、ヒンジで連結された前端が機尾へ動く際に、上部外板を上方キャンバーに対して屈曲させてヒンジ周囲で剛性下部外板の下方向への回転を起こして、ヒンジで連結された前端が前方に動く際に下方キャンバーに対して上部外板を屈曲させることを含む。 
【００１４】
ヒンジで連結された前端の機尾での動きは、機尾のヒンジに接続されたスライダーを動かすことを含み、ヒンジで連結された前端の前方への動きはスライダーを前方に動かすことを含む。
【００１５】
この方法はさらに、コネクタバーによる回転のためにスライダーに取り付けられた作動ベルクランクを使用し、延長ベルクランクによってコネクタバーを移動させてスライダーを機尾へ動かし、引込ベルクランクによってコネクタバーを移動させてスライダーを前方へ動かすことを含み、上方向の回転を起こすステップは、翼の上方翼弦全体の０〜１．０％超偏向することを含み、下方向の回転を起こすステップは、翼の下方翼弦全体の０〜２．５％超偏向することを含み、翼構造は翼のフラップであり、上方向の回転を起こすステップは、フラップの上方翼弦の０〜６．０％超偏向し、下方向の回転を起こすステップは、フラップの下方翼弦全体の０〜１４％超偏向することを含む。
【００１６】
既に説明した特徴、機能及び利点は、本発明の様々な実施形態で独立に実現することが可能であるか、以下の説明及び図面を参照してさらなる詳細が理解されうる、さらに別の実施形態で組み合わせることが可能である。
【図面の簡単な説明】
【００１７】
【図１Ａ】本明細書に開示した実施形態を使用することができる例示の航空機の等角投影図である。
【図１Ｂ】翼の後縁チップ偏向システムを応用した例示のゾーンを示す航空機の翼の上面図である。
【図２Ａ】非偏向位置にある翼の後縁チップ偏向システムの一実施形態の断面概略図である。
【図２Ｂ】上方向の偏向を示す、図２Ａの実施形態の断面概略図である。
【図２Ｃ】下方向の偏向を示す、図２Ａの実施形態の断面概略図である。
【図２Ｄ】非偏向、上方偏向及び下方偏向のオーバーレイを示す、図２Ａの実施形態の断面概略図である。
【図３】翼の後縁チップ偏向システムの機械機構の等角投影図である。
【図４Ａ】柔軟性上部外板の一部のみを示す、中立偏向の、図３の翼の後縁チップ偏向システムの実施形態の機尾の等角投影図である。
【図４Ｂ】柔軟性上部外板が取り除かれ、下部外板と作動リンクが示されている、中立偏向の、図３の翼の後縁チップ偏向システムの実施形態の機尾の等角投影図である。
【図４Ｃ】上部外板と作動リンクの相対位置を可視化するために柔軟性上部外板の小さい幅方向の一片を示す、中立偏向の、図３の翼の後縁チップ偏向システムの実施形態の機尾の等角投影図である。
【図５Ａ】柔軟性上部外板の一部のみを示す、上方偏向の、図３の翼の後縁チップ偏向システムの実施形態の機尾の等角投影図である。
【図５Ｂ】柔軟性上部外板が取り除かれ、下部外板と作動リンクが示されている、上方偏向の、図３の翼の後縁チップ偏向システムの実施形態の機尾の等角投影図である。
【図５Ｃ】上部外板と作動リンクの相対位置を可視化するために柔軟性上部外板の小さい幅方向の一片を示す、上方偏向の、図３の翼の後縁チップ偏向システムの実施形態の機尾の等角投影図である。
【図６】中立から相対的に上方向に偏向された図５Ａ〜５Ｃの翼の後縁チップ偏向システムの側面図である。
【図７Ａ】柔軟性上部外板の一部のみを示す、下方偏向の、図３の翼の後縁チップ偏向システムの実施形態の機尾の等角投影図である。
【図７Ｂ】柔軟性上部外板が取り除かれ、下部外板と作動リンクが示されている、下方偏向の、図３の翼の後縁チップ偏向システムの実施形態の機尾の等角投影図である。
【図７Ｃ】上部外板と作動リンクの相対位置を可視化するために柔軟性上部外板の小さい幅方向の一片を示す、下方偏向の、図３の翼の後縁チップ偏向システムの実施形態の機尾の等角投影図である。
【図８】中立から相対的に下方向に偏向された図７Ａ〜７Ｃの翼の後縁チップ偏向システムの側面図である。
【図９】明確化のために上部外板と支持スパーが取り除かれた作動システム要素の上面図である。
【図１０】上方偏向の変位を示す、図３の実施形態の例示の作動システムの上面図である。
【図１１】下方偏向の変位を示す、図３の実施形態の例示の作動システムの上面図である。
【図１２】翼後縁チップ偏向システムを制御する作業ステップを示すフロー図である。
【発明を実施するための形態】
【００１８】
本明細書に開示された実施形態は、翼のキャンバーを変化させるために、翼の後縁を作動させてチップを上下に動かすことができる構造を提供する。この後縁チップは固定された翼の機尾部分、又はフラップ又はエルロンの機尾部分にあってよい。一実施形態において、チップの柔軟部分の上面には柔軟性外板が組み込まれており、柔軟部分の下面は関連の作動リンクを有する実質的に剛性の外板である。この実施形態での作動では、下方作動リンクが機尾に押されて、柔軟性チップが上に回転し翼に上方キャンバーができる。下部作動リンクが前方に引っ張られると、柔軟性チップが下に回転して翼に下方キャンバーができる。
【００１９】
図１Ａに示すように、後縁１０を有する機体１０２及び翼１０４を有する航空機１００において、図１Ｂに詳しく示すように、柔軟性チップ１２を翼の後縁の様々な部分又はゾーンに組み込むことができる。幅方向のフラップ又はその他の長さ又なゾーンの各セクション、２２、２４、２６、２８及び３０は、柔軟性チップ１２を個別のゾーンとして組み込むことができる。フラップセクションが任意の位置にある時に、各ゾーンはチップの上方偏向又は下方偏向について別々に制御することができる。本明細書ではフラップセクションに関連する実施形態を説明したが、柔軟性チップはエルロン３４又は固定翼セクション３６にも組み込むことができる。
【００２０】
図２Ａ〜２Ｄに、図２Ａに示す中立位置からの動きを説明する翼の後縁１０と統合された柔軟性チップ１２の一実施形態を示す。柔軟性上部外板１４と剛性下部外板１８により柔軟性チップが形成される。柔軟性チップを作動させるために前方及び後方に移動可能な前方作動ヒンジ２０は、後にさらに詳しく説明するように、下部外板１８の回転軸となる。図２Ｂに示す上方への屈曲状態において、（１２’で指定される）上方に偏向された柔軟性チップと、チップの柔軟性上部外板１４は上方向に屈曲し、前縁１６で固定され、下部外板１８は（後方位置において２０’で指定される）作動ヒンジから延在する剛体形状を保つ。図２Ｃに示す（１２’’で指定される）柔軟性チップの下方に屈曲した状態において、柔軟性外板１４は前縁１６から下方に屈曲し、下部外板１８は（前方位置において２０’’で指定される）作動ヒンジから剛体形状を保つ。  
【００２１】
図２Ａ〜２Ｃ及び図３に示すように、翼又はフラップセクションの後縁１０は、機尾スパー４０又は翼又はフラップの同様の構造要素によって支持されている。柔軟性上部外板１４は、スパー４０の前縁１６に取り付けられる。上部外板は多数のヒンジで連結されたプレート又はスケール１５を組み込んで所望の柔軟性を獲得することができる、又はなめらかで連続的な柔軟性複合膜から構成することができる。剛性尾部４２は、前方境界の反対側の上部外板の終端取付具となる。下部外板１８も、剛性尾部４２の機尾先端に取り付けられる。図示した実施形態において、ヒンジ４４は剛性尾部４２と下部外板の界面において組み込まれ、これにより、屈曲する上部外板１４と剛性下部外板１８の間の尾部にかかる応力を軽減し、尾部を屈曲する上部外板１４によって形成される形状に一致させることができる。剛性下部外板１８の内面に組み込まれる又は装着される作動リンク４６は、作動ヒンジ２０と剛性尾部の間に延在し、後にさらに詳しく説明するようにチップを屈曲させる。柔軟性羽根シール又はその他のデバイス等の隙間シール４８は、チップが屈曲している間に作動ヒンジ２０の様々な延長／引込位置の空力シールとして作動ヒンジとスパー４０の下面５０の間に延在する。
【００２２】
図４Ａ〜４Ｃは、後部視点から見た図３の実施形態を示し、図４Ａは柔軟性上部外板１４の一部を有する柔軟性チップ１２を示す。図４Ｂは、下部外板１８を明示するために上部外板を有する柔軟性チップ１２が除去されており、作動リンク４６が剛性尾部４２に取り付けられた様子を示す。図４Ｃは、柔軟性上部外板と作動リンク４６の間の関係を明示するために上部外板１４の非常に小さい一片が示された柔軟性チップ１２の図である。同様に、図５Ａ〜５Ｃはチップが上方の偏向位置にある同じ図を提供し、図６は、チップ１２の非偏向位置と、１２’’で指定されるチップの下方偏向位置の側面図のオーバーレイを提供する。図７Ａ〜７Ｃは、チップが下方偏向位置にある図４Ａ〜４Ｃと同様の図を提供し、図８は、チップ１２の非偏向位置と、１２’で指定されるチップの上方偏向位置の側面図のオーバーレイを提供する。  
【００２３】
柔軟性上部外板１４は弓状の幅に固定されているが、図２Ｄに示すように、標準位置に対して変動する半径のプラス及びマイナスの円弧の範囲で柔軟である。例示の実施形態では、柔軟性チップ１２の翼弦の長さは、翼の翼弦全体の約６．５％である。図１Ｂに関して開示した通常のフラップゾーンのフラップの翼弦の長さは、翼の翼弦全体の約１０〜２０％である。翼のフラップの一部として組み込まれた時の柔軟性チップは、フラップの翼弦の約１７〜３３％を構成する。柔軟性チップの翼弦によって範囲が定まる角度は、約＋１０°（上方偏向１７）から-５５°（下方偏向１９）まで変動可能であり、この結果、チップの上方偏向２３は、翼の翼弦全体の約１．２％であり、下方偏向２４は、翼の翼弦全体の約２．８％である。フラップに関しては、上方偏向はフラップの翼弦の約６．３％であり、下方偏向はフラップの翼弦の約１４．２％である。例示の実施形態については、これにより、上方変更の範囲が翼の翼弦全体の０〜１．０％超、フラップの翼弦の０〜６．０％超となり、下方偏向の範囲は、翼の翼弦全体の０〜２．５％超及びフラップの翼弦の０〜１４％となる。図示した実施形態で提示した値は例にすぎず、個々の航空機の空力及び構造要件の必要に応じて変動可能である。
【００２４】
上部外板１４及びスパー４０が除去された図９から良く分かるように、位置決めスライダー５２は各作動リンク４６に取り付けられて、図５Ａ〜５Ｃ及び６に示すように、作動ヒンジ２０を機尾又は後方（位置２０’まで）へ延ばしてチップを上方に屈曲させ、図７Ａ〜７Ｃ及び８に示すように、作動ヒンジ２０を前方（位置２０’’まで）へ引き込んで、チップを下方に屈曲させる。例示の実施形態では、位置決めスライダー５２の動きは、ベルクランク機構によって引き起こされる。延長ベルクランク５４及び引込ベルクランク５６は、コネクタロッド５８によって相互接続される。作動ベルクランク６０は、コネクタロッド５８から各位置決めスライダー５２まで回転可能に延在する。図９では、位置決めスライダー５２と、関連の作動リンク４６により剛性尾部４２と作動ヒンジ２０が相互接続された様子が示されている。特定の用途では単一の作動リンクで十分であり、その他の用途では、柔軟性チップの正確な非拘束的な動きを確保するために図１Ｂに関して前に説明したように、翼ゾーン２２、２４、２６、２８及び３０に沿って相隔たった多数の位置決めスライダーと作動リンクを用いてもよい。加えて、例示の実施形態ではベルクランク作動システムを示したが、位置決めスライダーは回転アクチュエータで操作することができる、又は代替実施形態での作動リンクを動かすために線形アクチュエータに組み込むことができる。 
【００２５】
図１０に示すように、矢印６２で表示されるように力を印加することによって、延長ベルクランク５４を回転させると、コネクタロッドが矢印６４で表示される第１方向に引き寄せられ、これにより、作動ベルクランク６０が回転ポイント６６周囲を回転し、取り付けられた位置決めスライダー５２が矢印６７で示す機尾へ動く。位置決めスライダー５２が機尾へ動き、作動ヒンジ２０が機尾に変位し、作動リンク４６は作動ヒンジ２０周囲で上方に回転しながら機尾に押しやられる。これは、相互接続している剛性尾部４２の上部外板によって生じる力に起因し、その固定長に起因する。統合された柔軟性チップ１２の上方への総屈曲は、図５Ａ〜５Ｃ及び６に示されている。  
【００２６】
同様に、図１１に示すように、矢印６８で表示されるように力を印加することによって引込ベルクランク５６が回転し、コネクタロッドが矢印７０で表示される第２方向へ引き寄せられ、これにより、作動ベルクランク６０が回転ポイント６６周囲で回転して、取り付けられた位置決めスライダー５２を矢印７１で示す前方に引き寄せる。作動ヒンジを前方へ変位させる位置決めスライダー５２の前方への動きにより、作動リンク４６が作動ヒンジ２０周囲で下方に回転しながら前方に引き寄せられる。上部外板１４の固定長による抗力で、剛性チップが図７Ａ〜７Ｃ及び８に示すヒンジ４４周囲でさらに下方へ回転する。
【００２７】
図１２に示すように、翼構造の統合された柔軟性チップの屈曲は、ステップ１２０２において固定下部外板のヒンジで連結された前端を動かすことによって達成される。ステップ１２０４において柔軟性上部外板によって反力が加えられ、剛性下部外板がステップ１２０６においてヒンジ周囲で上方に回転し、ヒンジで連結された前端が機尾へ動いた時にステップ１２０８において上部外板が上方キャンバーにおいて屈曲する、又はステップ１２１０において剛性下部外板がヒンジ周囲で下方へ回転し、ヒンジで連結された前端が前方へ動いた時にステップ１２１２において、上部外板が下方キャンバーにおいて屈曲する。ヒンジで連結された前端の機尾への動きはステップ１２０５においてヒンジの機尾に接続されたスライダーを動かすことによって達成することができ、ヒンジで連結された前端の前方への動きはステップ１２０９において、スライダーを前方へ動かすことによって達成することができる。スライダーの動きはベルクランクシステムで起こすことができ、ベルクランクシステムはコネクタバーによって回転するためにスライダーに取り付けられた作動ベルクランクを使用し、コネクタバーは延長ベルクランク又は引込ベルクランクによって変位させることができる。
【００２８】
ここで本発明の様々な実施形態を特許法で要求されるように詳しく説明してきたが、当業者は本明細書に開示された特定の実施形態への変形例及び代替例を認識するだろう。上記変形例は、下記の請求項に定義された本発明の範囲及び目的に含まれるものである。
【符号の説明】
【００２９】
１０    翼の後縁
１２    柔軟性チップ
１２'    上方へ偏向された柔軟性チップ
１２''    下方へ屈曲した柔軟性チップ
１４    柔軟性上部外板
１５    ヒンジで連結されたプレート又はスケール
１６    前縁
１７    上方偏向
１８    剛性下部外板
１９    下方偏向
２０    前方作動ヒンジ
２０'    作動ヒンジ
２０''    作動ヒンジ
２２    翼ゾーン
２３    チップの上方偏向
２４    翼ゾーン、下方偏向
２６    翼ゾーン
２８    翼ゾーン
３０    翼ゾーン
３４    エルロン
３６    固定翼セクション
４０    スパー
４２    剛性尾部
４４    ヒンジ
４６    作動リンク
４８    隙間シール
５０    下面
５２    位置決めスライダー
５４    延長ベルクランク
５６    引込ベルクランク
５８    コネクタロッド
６０    作動ベルクランク
６２    力の印加方向
６４    第１方向
６６    回転ポイント
６７    位置決めスライダーの移動方向
６８    力の印加方向
７０    第２方向
７１    位置決めスライダーの移動方向
１００    航空機
１０２    機体
１０４    翼
【図１Ａ】
2013121835.tif 000003
【図１Ｂ】
2013121835.tif 000004
【図２Ａ】
2013121835.tif 000005
【図２Ｂ】
2013121835.tif 000006
【図２Ｃ】
2013121835.tif 000007
【図２Ｄ】
2013121835.tif 000008
【図３】
2013121835.tif 000009
【図４Ａ】
2013121835.tif 000010
【図４Ｂ】
2013121835.tif 000011
【図４Ｃ】
2013121835.tif 000012
【図５Ａ】
2013121835.tif 000013
【図５Ｂ】
2013121835.tif 000014
【図５Ｃ】
2013121835.tif 000015
【図６】
2013121835.tif 000016
【図７Ａ】
2013121835.tif 000017
【図７Ｂ】
2013121835.tif 000018
【図７Ｃ】
2013121835.tif 000019
【図８】
2013121835.tif 000020
【図９】
2013121835.tif 000021
【図１０】
2013121835.tif 000022
【図１１】
2013121835.tif 000023
【図１２】
2013121835.tif 000024
【外国語明細書】
2013121835000001.pdf
2013121835000002.pdf
2013121835000003.pdf
2013121835000004.pdf